【手続補正書】
【提出日】平成20年3月18日(2008.3.18)
【手続補正１】
【補正対象書類名】特許請求の範囲
【補正対象項目名】全文
【補正方法】変更
【補正の内容】
【特許請求の範囲】
【請求項１】
コンピュータユーザにコンテンツをダウンロードする判断の推奨を容易にするためのユーザインターフェースであって、
前記ユーザが前記コンテンツのダウンロードを実行できるようにする第１の信用オプションと、
前記ユーザが前記コンテンツのダウンロードを防止できるようにする第２の信用オプションと、
複数のエキスパートが表記され、前記ユーザが前記複数のエキスパートを１以上選択可能なエキスパート選択ボックスと、
前記ユーザに推奨を提供するための推奨モジュールであって、前記推奨のための入力として前記ユーザに関するプロファイル、１以上の選択された前記エキスパートに関連する少なくとも１つのエキスパートプロファイル、および前記コンテンツに関する情報を取得し、前記推奨がデフォルトオプションとして前記第１の信用オプションまたは前記第２の信用オプションを選択することを含む前記推奨モジュールと
を備えたことを特徴とするユーザインターフェース。
【請求項２】
前記ユーザプロファイルを前記ユーザが選択した信用オプションに基づいて更新する更新モジュールをさらに備えたことを特徴とする請求項１に記載のユーザインターフェース。
【請求項３】
前記推奨モジュールによって提供された前記推奨は、２以上のエキスパートプロファイルの同意であることを特徴とする請求項１に記載のユーザインターフェース。
【請求項４】
前記推奨モジュールは、前記関連した少なくとも１つのエキスパートプロファイルに関連付けられた信用因子に従って、少なくとも１つのエキスパートプロファイルに重みを与えることにより前記推奨を計算することを特徴とする請求項１に記載のユーザインターフェース。
【請求項５】
前記少なくとも１つのエキスパートプロファイルと前記ユーザの判断履歴との整合性に基づいて、前記少なくとも１つのエキスパートプロファイルに関連付けられた前記信用因子を更新するための更新モジュールをさらに備えたことを特徴とする請求項４に記載のユーザインターフェース。
【請求項６】
前記ユーザインターフェースは、前記少なくとも１人のエキスパートの第三者の評価に基づいて、前記少なくとも１つのエキスパートプロファイルに関連付けられた前記信用因子を更新するための更新モジュールをさらに含むことを特徴とする請求項４に記載のユーザインターフェース。
【請求項７】
前記少なくとも１つのエキスパートプロファイルを、ユーザのコンピュータの外部にあるソースから前記モジュールへ伝送するように要求するためのエキスパート選択モジュールをさらに備えたことを特徴とする請求項１に記載のユーザインターフェース。
【請求項８】
前記少なくとも１つのエキスパートプロファイルは、拡張可能マークアップ言語（ＸＭＬ）ファイルとして伝送するために格納されることを特徴とする請求項７に記載のユーザインターフェース。
【請求項９】
前記ユーザプロファイルを要求に応答してリモートコンピュータに伝送するための伝送モジュールをさらに備えたことを特徴とする請求項１に記載のユーザインターフェース。
【請求項１０】
前記ユーザプロファイルは、ＸＭＬファイルとして伝送するために格納されることを特徴とする請求項１に記載のユーザインターフェース。
【請求項１１】
前記推奨モジュールは、前記ユーザコンピュータに配置され、および前記ユーザコンピュータ上で実行することを特徴とする請求項１に記載のユーザインターフェース。
【請求項１２】
コンピュータユーザにコンテンツをダウンロードする判断を推奨する方法であって、
前記ユーザに関するプロファイルを読み取るステップと、
リストアップされた複数のエキスパートから選択された１以上のエキスパートを受信するステップと、
選択された１以上の前記エキスパートに関連する少なくとも１人のエキスパートプロファイルを読み取るステップと、
前記コンテンツに関する情報を取得するステップと、
前記コンテンツを信用するか否かの推奨を計算するステップと、
前記コンテンツを信用するか否かの前記推奨をデフォルトオプションとして前記ユーザに提供するステップとを備え、
前記推奨は、前記ユーザに関する前記プロファイル、少なくとも１つの前記エキスパートプロファイルおよび前記コンテンツに関する前記情報に基づくことを特徴とする方法。
【請求項１３】
前記コンテンツを信用するか否かのユーザの判断に基づいて前記ユーザプロファイルを更新するステップをさらに備えたことを特徴とする請求項１２に記載の方法。
【請求項１４】
前記推奨は、２以上の前記エキスパートプロファイルの同意であることを特徴とする請求項１２に記載の方法。
【請求項１５】
前記関連した少なくとも１つのエキスパートプロファイルに関連付けられた信用因子に従って、少なくとも１つのエキスパートプロファイルに重みを割り当てるステップをさらに備え、前記推奨は、前記割り当てられた重みに基づくことを特徴とする請求項１２に記載の方法。
【請求項１６】
前記少なくとも１つのエキスパートプロファイルと前記ユーザの判断履歴との整合性に基づいて、前記少なくとも１つのエキスパートプロファイルに関連付けられた前記信用因子を更新するステップをさらに備えたことを特徴とする請求項１５に記載の方法。
【請求項１７】
前記少なくとも１人のエキスパートの第三者の評価に基づいて、前記少なくとも１つのエキスパートプロファイルに関連付けられた前記信用因子を更新するステップをさらに備えたことを特徴とする請求項１５に記載の方法。
【請求項１８】
前記少なくとも１つのエキスパートプロファイルを、前記ユーザのコンピュータの外部にあるソースから伝送するように要求するステップをさらに備えたことを特徴とする請求項１２に記載の方法。
【請求項１９】
前記少なくとも１つのエキスパートプロファイルは、拡張可能マークアップ言語（ＸＭＬ）ファイルとして伝送するために格納されることを特徴とする請求項１８に記載の方法。
【請求項２０】
前記ユーザプロファイルを要求に応答してリモートコンピュータに伝送するステップをさらに備えたことを特徴とする請求項１２に記載の方法。
【請求項２１】
前記ユーザプロファイルは、ＸＭＬファイルとして伝送するために格納されることを特徴とする請求項２０に記載の方法。
【請求項２２】
前記推奨は、前記ユーザコンピュータによって提供されることを特徴とする請求項１２に記載の方法。
【請求項２３】
コンピュータユーザにコンテンツをダウンロードする判断の推奨を容易にするコンピュータ実行可能命令を含むコンピュータ読み取り可能媒体であって、コンピュータ実行可能命令は、
前記ユーザに関するプロファイルを読み取るステップと、
少なくとも１人のエキスパートに関連する少なくとも１つのエキスパートプロファイルを読み取るステップと、
前記コンテンツに関する情報を取得するステップと、
前記コンテンツを信用するか否かの推奨を計算するステップと、
前記コンテンツを信用するか否かの前記推奨をデフォルトオプションとして前記ユーザに提供するステップとを実行し、
前記推奨の計算は、前記ユーザに関する前記プロファイル、少なくとも１つの前記エキスパートプロファイルおよび前記コンテンツに関する前記情報に基づくことを特徴とするコンピュータ読取り可能媒体。
【請求項２４】
前記コンテンツを信用するか否かのユーザの判断に基づいて、前記ユーザプロファイルを更新するステップをさらに実行することを特徴とする請求項２３に記載のコンピュータ読取り可能媒体。